(57)【要約】  【課題】  使い勝手の良い受電装置を提供する。  【解決手段】  コンデンサ設備部の異常警報部として、電流通電により接点部を閉じかつ該接点部が復帰ボタンにより開放される電流動作型継電器を、コンデンサ異常警報接点、リアクトル異常警報接点にそれぞれ直列接続し、さらに、これら各直列回路の並列接続点に、開閉器の主接点部を開放させる引外しコイルと、該主接点部に連動する補助接点部とを直列接続し、かつ、電流動作型継電器の接点部の並列接続点に鳴動手段または外部警報部を直列接続した構成とし、異常時、開閉器の主接点部を開放してコンデンサ設備部を電源から切り離すとともに、鳴動手段または外部警報部を作動状態にする。また、補助接点部が開放状態のとき、復帰ボタンにより、鳴動手段または外部警報部の作動状態を解除可能にする。【選択図】  図４
2008283820.tif 000002
【特許請求の範囲】
【請求項１】
受電した電力を変圧器を介して負荷側に供給する受電装置であって、
進相用コンデンサとリアクトルが直列接続されて成る力率改善用のコンデンサ設備部と、上記コンデンサ設備部の異常を検知し警報を発する警報部と、上記変圧器側から電力を上記コンデンサ設備部及び上記警報部に供給する電源とを備えて成り、
上記警報部が、
上記進相用コンデンサの異常を検知したとき閉じるコンデンサ異常警報接点と、
上記リアクトルの異常を検知したとき閉じるリアクトル異常警報接点と、
上記コンデンサ異常警報接点に直列接続され、基準値以上の電流が通電されたとき自己の接点部を閉じかつ該接点部が復帰ボタンにより開放される構成のコンデンサ異常検知用電流動作型継電器と、
上記リアクトル異常警報接点に直列接続され、基準値以上の電流が通電されたとき自己の接点部を閉じかつ該接点部が復帰ボタンにより開放される構成のリアクトル異常検知用電流動作型継電器と、
上記コンデンサ異常警報接点と上記コンデンサ異常検知用電流動作型継電器の直列回路と、上記リアクトル異常警報接点と上記リアクトル異常検知用電流動作型継電器の直列回路との並列接続点に対し直列接続され、基準値以上の電流が通電されたとき、開閉器を駆動し、上記コンデンサ設備部に直列接続された該開閉器の主接点部を開放させる引外しコイルと、
上記引外しコイルに直列接続され、上記開閉器の主接点部に連動して開放動作する補助接点部と、
上記コンデンサ異常検知用電流動作型継電器の接点部と上記リアクトル異常検知用電流動作型継電器の接点部の並列接続点に直列接続された鳴動手段または外部警報部と、
を備え、上記進相用コンデンサまたは上記リアクトルの異常時に、自動的に、上記引外しコイルによって上記開閉器の主接点部を開放させて上記コンデンサ設備部を上記電源から切り離し、かつ、上記コンデンサ異常検知用電流動作型継電器の接点部または上記リアクトル異常検知用電流動作型継電器の接点部を閉じて上記鳴動手段または上記外部警報部を作動状態にするとともに、上記補助接点部が開放された状態で上記復帰ボタンにより、該コンデンサ異常検知用電流動作型継電器または該リアクトル異常検知用電流動作型継電器の接点部を開放させ、該鳴動手段または該外部警報部の該作動状態が解除される構成としたことを特徴とする受電装置。
【発明の詳細な説明】
【技術分野】
【０００１】
本発明は、受電した電力を変圧処理して負荷側に供給する受電装置に係り、特に、力率改善用のコンデンサ設備の異常を検出し警報を行う警報部の構成に関する。
【背景技術】
【０００２】
従来、受電装置におけるコンデンサ設備の異常としては、進相用コンデンサの内部の絶縁破壊によるケースの膨れや、高調波流入によるリアクトルの温度上昇などがある。これらの異常を放置した場合には、機器の破壊や電気回路の短絡などの重大事故に発展することが多い。これを防ぐためには、コンデンサ設備を速やかに電源回路から切り離すとともに、警報を発して異常が発生していることを設備保守要員に認知させる必要がある。この認知対策としては、従来より、異常が発生したことを表示する表示灯を点灯したり、ブザーを鳴動させたり、離れた場所の外部警報部への外部警報を送信したりすることなどが行われている。
【発明の開示】
【発明が解決しようとする課題】
【０００３】
図１は、受電装置の基本的構成を示す図である。以下、本発明が解決しようとする課題を、コンデンサ設備の異常を検知し警報する警報部（以下、コンデンサ設備異常警報部という）として、従来構成のコンデンサ設備異常警報部２００ａ'及びそれを構成する警報回路１００ａ'が設けられている場合について説明する。
【０００４】
図１において、受電装置は、配電用変圧器としての電灯変圧器４０及び動力変圧器５０の高圧側に力率改善用のコンデンサ設備６０が接続され、電灯変圧器４０の低圧側には、警報電源配線用遮断器（ＭＣＣＢ）４ａを介して、コンデンサ設備異常警報部２００ａ'と、漏電を検出して警報する漏電警報部２００ｂと、変圧器の過負荷を検出し警報する変圧器過負荷警報部２００ｃとが互いに並列に接続されている。コンデンサ設備６０は、進相用コンデンサ（ＳＣ）１とリアクトル（ＳＲ）２とから成り、開閉器（ＬＢＳ）の主接点部３を介して電灯変圧器４０の高圧側のコンデンサ設備用電源７０に接続されている。該開閉器（ＬＢＳ）の主接点部３は、警報回路１００ａ'に接続された引外しコイル３ａにより作動される。
【０００５】
コンデンサ設備６０に異常が発生した場合、すなわち、例えば進相用コンデンサ１の内部の絶縁破壊またはリアクトル２の温度上昇などの異常が発生した場合には、進相用コンデンサ１に対応する警報接点（ＳＣＣ）１ａまたはリアクトル２に対応する警報接点（ＳＲＣ）２ａが閉じ、その結果、引外しコイル（ＴＣ）３ａが警報回路１００ａ'によって励磁される。引外しコイル３ａは該励磁によって開閉器（ＬＢＳ）３の接点部を開放状態にすることで、コンデンサ設備６０をコンデンサ設備用電源７０から切り離す。また、警報接点（ＳＣＣ）１ａまたは警報接点（ＳＲＣ）２ａが閉じる結果、ブザーなどの鳴動手段が作動して警報を発することになる。
【０００６】
図２は、コンデンサ設備異常警報部２００ａ'、漏電警報部２００ｂ及び変圧器過負荷警報部２００ｃのそれぞれの内部構成を示している。コンデンサ設備異常警報部２００ａ'内では、警報接点（ＳＣＣ）１ａにはコンデンサ警報補助継電器（ＳＣＸ）５とコンデンサ警報表示灯（ＰＬＣ）７が接続され、警報接点（ＳＲＣ）２ａにはリアクトル警報補助継電器（ＳＲＸ）６とリアクトル警報表示灯（ＰＬＲ）８が接続されている。また、引外しコイル（ＴＣ）３ａとブザー（ＢＺ）９にはそれぞれ、コンデンサ警報補助継電器（ＳＣＸ）５の接点５ａとリアクトル警報補助継電器（ＳＲＸ）６の接点６ａの並列接続回路、コンデンサ警報補助継電器（ＳＣＸ）５の接点５ｂとリアクトル警報補助継電器（ＳＲＸ）６の接点６ｂの並列接続回路がそれぞれ直列接続されている。コンデンサ設備６０に異常が発生した場合、警報接点（ＳＣＣ）１ａまたは警報接点（ＳＲＣ）２ａが閉じ、コンデンサ警報補助継電器（ＳＣＸ）５またはリアクトル警報補助継電器（ＳＲＸ）６が励磁され、コンデンサ警報補助継電器（ＳＣＸ）５の接点５ａ、５ｂまたはリアクトル警報補助継電器（ＳＲＸ）６の接点６ａ、６ｂが閉じ、引外しコイル（ＴＣ）３ａを励磁状態にし、ブザー（ＢＺ）９を鳴動状態にする。励磁状態にされた引外しコイル（ＴＣ）３ａは、開閉器（ＬＢＳ）の主接点部３を開放状態にし、コンデンサ設備６０をコンデンサ設備用電源７０から切り離す。なお、警報電源配線用遮断器（ＭＣＣＢ）４ａは手動によって開放状態となる構成を備える。また、８ａは、コンデンサ設備異常警報用ヒューズ、２０はケーブルを保持するケーブルヘッド、３０はパワーヒューズ付開閉器である。
【０００７】
漏電警報部２００ｂは、漏電検出器（５１ＧＴ（ＬＧＲ））１２、漏電警報継電器（５１ＧＴＸ）１５、漏電警報表示灯（ＰＬ）１４、漏電警報継電器（５１ＧＴＸ）１５の接点部（５１ＧＴ）１３及び漏電警報用ヒューズ８ｂを備えて構成される。
変圧器過負荷警報部２００ｃは、過負荷警報継電器（４９ＬＸ）２３、同（４９ＭＸ）２６、過負荷警報表示灯（ＰＬ）２２、２５、過負荷警報継電器（４９ＬＸ）２３の接点部（４９Ｌ（ＴｈＲＹ））２１、過負荷警報継電器（４９ＭＸ）２６の接点部（４９Ｍ（ＴｈＲＹ））２４及び過負荷警報用ヒューズ８ｃを備えて構成される。
【０００８】
外部警報出力部８０'は、例えば監視室などに設けられた外部警報部９０に対し警報を出力する部分であって、図３に示すように、コンデンサ警報補助継電器（ＳＣＸ）５の接点５ａ、５ｂと連動する接点５ｃ、リアクトル警報補助継電器（ＳＲＸ）６の接点６ａ、６ｂと連動する接点６ｃ、漏電警報継電器（５１ＧＴＸ）１５の接点部（５１ＧＴ）１３と連動する接点１３ａ、過負荷警報継電器（４９ＬＸ）２３の接点部（４９Ｌ（ＴｈＲＹ））２１と連動する接点２１ａ、過負荷警報継電器（４９ＭＸ）２６の接点部（４９Ｍ（ＴｈＲＹ））２４と連動する接点２４ａが互いに並列接続されて構成されている。
【０００９】
上記受電装置において、上記コンデンサ設備異常警報部２００ａ'の構成では、上記コンデンサ設備６０の異常時、警報接点（ＳＣＣ）１ａや警報接点（ＳＲＣ）２ａは、パワーヒューズ付開閉器（ＬＢＳ）（以下、単に開閉器（ＬＢＳ）と記す）の主接点部３が自動的に開放されてコンデンサ設備６０がコンデンサ設備用電源７０から切り離された状態でも、該警報接点（ＳＣＣ）１ａや該警報接点（ＳＲＣ）２ａの構成により数時間は閉じた状態を維持する。このため、ブザー（ＢＺ）９は、警報電源配線用遮断器（ＭＣＣＢ）４ａが手動で開放状態とされてコンデンサ設備異常警報部２００ａ'への電源電力の供給が断たれるまでは鳴動し続けることとなり、例えば住宅地などに、かかる受電装置が設置されている場合には、このブザー（ＢＺ）９の鳴動が騒音の原因となり、環境問題を引起こすことも十分予想される。また、ブザー（ＢＺ）９の鳴動を停止させるために、警報電源配線用遮断器（ＭＣＣＢ）４ａを開放した場合には、漏電警報部２００ｂや変圧器過負荷警報部２００ｃへの警報部用電源７１からの電源電力の供給も断たれてしまい、この結果、これらの警報部も作動しなくなり機能を停止してしまうことになる。
【００１０】
本発明の課題点は、上記従来技術の状況に鑑み、受電装置において、漏電警報部２００ｂや変圧器過負荷警報部２００ｃへの電源電力の供給は断たずに、ブザー（ＢＺ）９の鳴動を停止させることができるようにすることである。
本発明の目的は、上記課題点を解決し、使い勝手の良い受電装置を提供することにある。
【課題を解決するための手段】
【００１１】
上記課題点を解決するために、本発明では、受電装置において、そのコンデンサ設備部の異常を検知し警報を発する警報部として、基準値以上の電流が通電されたとき自己の接点部を閉じかつ該接点部が復帰ボタンにより開放される構成の電流動作型継電器を、コンデンサ異常時に閉じるコンデンサ異常警報接点、リアクトル異常時に閉じるリアクトル異常警報接点にそれぞれ直列接続し、さらに、これら各直列回路の並列接続点に、コンデンサ設備部に直列接続された開閉器の主接点部を開放させる引外しコイルと、該主接点に連動して開放動作する補助接点部とを直列接続し、かつ、電流動作型継電器の接点部の並列接続点には鳴動手段または外部警報部を直列接続した構成とし、異常発生時、コンデンサ異常警報接点またはリアクトル異常警報接が閉じ、これによって、電流動作型継電器も電流通電されてその接点部を閉じて鳴動手段または外部警報部を作動状態にし、引外しコイルも励磁され、開閉器の主接点部を開放してコンデンサ設備部を電源から切り離す構成とする。また、補助接点部が開放された状態で、電流動作型継電器の復帰ボタンが操作されてその接点部が開放されたときは、鳴動手段または外部警報部の作動状態が解除され、警報が停止される。
【発明の効果】
【００１２】
本発明によれば、使い勝手の良い受電装置を提供することができる。
【発明を実施するための最良の形態】
【００１３】
以下、本発明の実施例につき、図面を用いて説明する。
図４及び図５は、本発明の実施例の説明図である。図４は、本発明の実施例としての受電装置の構成例図、図５は、図４の受電装置における外部警報出力部の構成例図である。ただし、図４では、警報電源配線用遮断器（ＭＣＣＢ）以降の部分を示している。本実施例の受電装置は、コンデンサ設備異常警報部のみが従来のコンデンサ設備異常警報部２００ａ'の構成と異なる以外は、基本的には、図１に示す受電装置と同じ構成である。このため、以下、図４及び図５の説明中で用いる図１〜図３の構成要素には、図１〜図３の場合と同じ符号を付して用いるとする。
【００１４】
図４において、２００ａは、コンデンサ設備部６０の異常を検知し警報を発する警報部であるコンデンサ設備異常警報部、１００ａは、コンデンサ設備異常警報部２００ａ内の警報回路、２００ｂは漏電警報部、２００ｃは変圧器過負荷警報部、４ａは、電灯変圧器４０の低圧側に配された警報電源配線用遮断器（ＭＣＣＢ）、８ａは、コンデンサ設備異常警報用ヒューズ，１２は整流器、１ａはコンデンサ異常警報接点、２ａはリアクトル異常警報接点、１０は、コンデンサ異常警報接点１ａに直列接続され、基準値以上の電流が通電されたとき自己の接点部を閉じかつ該接点部が復帰ボタンにより開放される構成を備えたコンデンサ異常検知用電流動作型継電器（ＦＩＣ）、１１は、リアクトル異常警報接点２ａに直列接続され、基準値以上の電流が通電されたとき自己の接点部を閉じかつ該接点部が復帰ボタンにより開放される構成を備えたリアクトル異常検知用電流動作型継電器（ＦＩＲ）、３ａは、基準値以上の電流が通電されたとき、コンデンサ設備部６０に直列接続された開閉器（ＬＢＳ）の主接点部３を開放させる引外しコイル、３ｂは、上記開閉器（ＬＢＳ）の主接点部３に連動して開放動作する該開閉器（ＬＢＳ）の補助接点部、１０ａは、コンデンサ異常検知用電流動作型継電器（ＦＩＣ）１０の接点部（ＦＩＣＣ）、１１ａは、リアクトル異常検知用電流動作型継電器（ＦＩＲ）１１の接点部（ＦＩＲＣ）、９は、鳴動手段としてのブザーである。
【００１５】
コンデンサ設備６０は、進相用コンデンサ（ＳＣ）１とリアクトル（ＳＲ）２とから成り、開閉器（ＬＢＳ）の主接点部３を介して電灯変圧器４０の高圧側のコンデンサ設備用電源７０に接続されている。コンデンサ設備異常警報部２００ａ、漏電警報部２００ｂ及び変圧器過負荷警報部２００ｃは、互いに並列の状態で、警報電源配線用遮断器（ＭＣＣＢ）４ａを介して電灯変圧器４０の低圧側の警報部用電源７１に接続されている。引外しコイル（ＴＣ）３ａは、警報回路１００ａに接続されており、コンデンサ設備６０に異常が発生した場合に、開閉器（ＬＢＳ）の主接点部３及び補助接点部３ｂを作動してそれぞれを開放状態にする。整流器１２は、警報部用電源７１からの交流電力を整流し、直流電力としてコンデンサ異常検知用電流動作型継電器（ＦＩＣ）１０やリアクトル異常検知用電流動作型継電器（ＦＩＲ）１１に供給する。
【００１６】
コンデンサ異常警報接点１ａは、進相用コンデンサ（ＳＣ）１の異常を検知したときに閉じ、リアクトル異常警報接点２ａは、リアクトル（ＳＲ）２の異常を検知したときに閉じる構成である。
【００１７】
上記コンデンサ警報補助継電器（ＳＣＸ）５と上記コンデンサ異常検知用電流動作型継電器（ＦＩＣ）の直列回路と、上記リアクトル警報補助継電器（ＳＲＸ）６と上記リアクトル異常検知用電流動作型継電器（ＦＩＲ）の直列回路とは並列接続され、該並列接続点に対し、上記引外しコイル（ＴＣ）３ａ及び上記開閉器（ＬＢＳ）の主接点部３に連動して開放動作する補助接点部３ｂが直列接続される。
【００１８】
コンデンサ異常検知用電流動作型継電器（ＦＩＣ）１０の接点部（ＦＩＣＣ）１０ａとリアクトル異常検知用電流動作型継電器（ＦＩＲ）１１の接点部（ＦＩＲＣ）１１ａの並列接続点にはブザー９が直列接続され、該コンデンサ異常検知用電流動作型継電器（ＦＩＣ）１０の他の接点部（ＦＩＣＣ）１０ｂと該リアクトル異常検知用電流動作型継電器（ＦＩＲ）１１の他の接点部（ＦＩＲＣ）１１ｂの並列接続点には外部警報部が直列接続される。
【００１９】
図５は、図４の受電装置における外部警報出力部の構成例図である。
図５において、８０は、例えば監視室などに設けられた外部警報部に対し警報を出力する外部警報出力部、９０は外部警報部、１０ｂは、コンデンサ異常検知用電流動作型継電器（ＦＩＣ）１０の接点部（ＦＩＣＣ）１０ａと連動する該コンデンサ異常検知用電流動作型継電器（ＦＩＣ）１０の接点部（ＦＩＣＣ）、１１ｂは、リアクトル異常検知用電流動作型継電器（ＦＩＲ）１１の接点部（ＦＩＲＣ）１１ａと連動する該リアクトル異常検知用電流動作型継電器（ＦＩＲ）１１の接点部（ＦＩＲＣ）、１３ａは、漏電警報継電器（５１ＧＴＸ）１５の接点部（５１ＧＴ）１３と連動する接点、２１ａは、過負荷警報継電器（４９ＬＸ）２３の接点部（４９Ｌ（ＴｈＲＹ））２１と連動する接点、２４ａは、過負荷警報継電器（４９ＭＸ）２６の接点部（４９Ｍ（ＴｈＲＹ））２４と連動する接点である。これら接点部（ＦＩＣＣ）１０ｂ、接点部（ＦＩＲＣ）１１ｂ、接点１３ａ、２１ａ、２４ａは互いに並列接続されて外部警報出力部８０が構成されている。
【００２０】
図４及び図５の構成において、進相用コンデンサ（ＳＣ）１またはリアクトル（ＳＲ）の異常時に、自動的に、引外しコイル（ＴＣ）３ａによって開閉器の主接点部３を開放させてコンデンサ設備部６０をコンデンサ設備用電源７０から切り離し、かつ、コンデンサ異常検知用電流動作型継電器（ＦＩＣ）１０の接点部（ＦＩＣＣ）１０ａ、１０ｂまたはリアクトル異常検知用電流動作型継電器（ＦＩＲ）１１の接点部（ＦＩＲＣ）１１ａ、１１ｂを閉じてブザー９及び外部警報部９０を作動状態にするとともに、補助接点部３ｂが開放された状態で復帰ボタンにより、該コンデンサ異常検知用電流動作型継電器（ＦＩＣ）１０の接点部（ＦＩＣＣ）１０ａ、１０ｂまたは該リアクトル異常検知用電流動作型継電器（ＦＩＲ）１１の接点部（ＦＩＲＣ）１１ａ、１１ｂを開放させ、該ブザー９及び該外部警報部の該作動状態を解除する。
【００２１】
すなわち、進相用コンデンサ（ＳＣ）１に異常が発生した場合には、警報接点（ＳＣＣ）１ａが閉じ、引外しコイル（ＴＣ）３ａに基準値以上の電流であってコンデンサ異常検知用電流動作型継電器（ＦＩＣ）１０の動作電流以上の電流が流れたとき、該引外しコイル（ＴＣ）３ａ及びコンデンサ異常検知用電流動作型継電器（ＦＩＣ）１０が励磁される。引外しコイル（ＴＣ）３ａは、開閉器の主接点部３を開放状態にしてコンデンサ設備部６０をコンデンサ設備用電源７０から切り離す。また、コンデンサ異常検知用電流動作型継電器（ＦＩＣ）１０は、その接点部（ＦＩＣＣ）１０ａ、１０ｂを閉じる。接点部（ＦＩＣＣ）１０ａが閉じることによってはブザー９を作動させて鳴動状態にし、接点部（ＦＩＣＣ）１０ｂが閉じることによっては、外部警報出力部８０から外部警報部９０に向けて警報が出力されるようにする。開閉器の主接点部３の上記開放動作に連動して補助接点部３ｂが開放されることにより、引外しコイル（ＴＣ）３ａ及びコンデンサ異常検知用電流動作型継電器（ＦＩＣ）１０の励磁は解除されるが、この状態においてもコンデンサ異常検知用電流動作型継電器（ＦＩＣ）１０の接点部（ＦＩＣＣ）１０ａ、１０ｂは閉じた状態を維持し、ブザー９の鳴動状態と、外部警報出力部８０から外部警報部９０への警報の出力状態を続行させる。かかる状態のとき、コンデンサ異常検知用電流動作型継電器（ＦＩＣ）１０の復帰ボタンにより、該コンデンサ異常検知用電流動作型継電器（ＦＩＣ）１０の接点部（ＦＩＣＣ）１０ａ、１０ｂを開放させると、該ブザー９及び該外部警報部８０の作動が停止される。
【００２２】
また、リアクトル（ＳＲ）２に異常が発生した場合には、警報接点（ＳＲＣ）２ａが閉じ、引外しコイル（ＴＣ）３ａ及びリアクトル異常検知用電流動作型継電器（ＦＩＲ）１１に基準値以上の電流が流れ励磁される。引外しコイル（ＴＣ）３ａは、開閉器の主接点部３を開放状態にしてコンデンサ設備部６０をコンデンサ設備用電源７０から切り離す。また、リアクトル異常検知用電流動作型継電器（ＦＩＲ）１１は、その接点部（ＦＩＲＣ）１１ａ、１１ｂを閉じる。接点部（ＦＩＲＣ）１１ａが閉じることによってはブザー９を作動させて鳴動状態にし、接点部（ＦＩＲＣ）１１ｂが閉じることによっては、外部警報出力部８０から外部警報部９０に向けて警報が出力されるようにする。開閉器の主接点部３の上記開放動作に連動して補助接点部３ｂが開放されることにより、引外しコイル（ＴＣ）３ａ及びコンデンサ異常検知用電流動作型継電器（ＦＩＲ）１１の励磁は解除されるが、この状態においてもリアクトル異常検知用電流動作型継電器（ＦＩＲ）１１の接点部（ＦＩＲＣ）１１ａ、１１ｂは閉じた状態を維持し、ブザー９の鳴動状態と、外部警報出力部８０から外部警報部９０への警報の出力状態を続行させる。かかる状態のとき、リアクトル異常検知用電流動作型継電器（ＦＩＲ）１１の復帰ボタンにより、該リアクトル異常検知用電流動作型継電器（ＦＩＲ）１１の接点部（ＦＩＲＣ）１１ａ、１１ｂを開放させると、該ブザー９及び該外部警報部８０の作動が停止される。
【００２３】
上記実施例によれば、受電装置において、ブザー９及び外部警報部８０の作動を停止させる場合、警報電源配線用遮断器（ＭＣＣＢ）４ａを開放させずに、コンデンサ異常検知用電流動作型継電器（ＦＩＣ）１０の復帰ボタンやリアクトル異常検知用電流動作型継電器（ＦＩＲ）１１の復帰ボタンを操作することにより、ブザー９及び外部警報部８０の作動を停止させることができる。このため、使い勝手の良い受電装置が提供される。
【図面の簡単な説明】
【００２４】
【図１】受電装置の基本的構成図である。
【図２】従来の警報部の構成例図である。
【図３】従来の警報部の一部としての外部警報出力部の構成例図である。
【図４】本発明の受電装置における警報部の構成例図である。
【図５】本発明の受電装置の警報部の一部としての外部警報出力部の構成例図である。
【符号の説明】
【００２５】
１…進相用コンデンサ、
１ａ…コンデンサ異常警報接点、
２…リアクトル、
２ａ…リアクトル異常警報接点、
３ａ…引外しコイル、
３…開閉器の主接点部、
３ｂ…開閉器の補助接点部、
４ａ…警報電源配線用遮断器、
５…コンデンサ警報補助継電器、
６…リアクトル警報補助継電器、
８ａ〜８ｃ…ヒューズ、
９…ブザー、
１０…コンデンサ異常検知用電流動作型継電器、
１１…リアクトル異常検知用電流動作型継電器、
１０ａ、１０ｂ…コンデンサ異常検知用電流動作型継電器の接点部、
１１ａ、１１ｂ…リアクトル異常検知用電流動作型継電器の接点部、
１２…整流器、
６０…コンデンサ設備、
７０…コンデンサ設備用電源、
７１…警報部用電源、
８０…外部警報出力部、
９０…外部警報部、
１００ａ…警報回路、
２００ａ…コンデンサ設備異常警報部、
２００ｂ…漏電警報部、
２００ｃ…変圧器過負荷警報部。
【図１】
2008283820.tif 000003
【図２】
2008283820.tif 000004
【図３】
2008283820.tif 000005
【図４】
2008283820.tif 000006
【図５】
2008283820.tif 000007